(57)【要約】      （修正有）【課題】本体レンズとは別体の、比較的に大きい延長部を本体レンズに脱着自在に取付け、そのレンズ延長部を様々な目的に使用することができる眼鏡を提供する。【解決手段】少なくともレンズ下半分が縁なしの左右レンズ３を有する眼鏡１であって、前記左右レンズ３と別成形のレンズ延長部５を左右レンズから直接、外方へ延びるようにそれぞれ少なくとも１個設けた眼鏡である。前記レンズ延長部に文字や模様の装飾を設けたり、換気のための貫通孔を設けたりすることができる。【選択図】図１
2017111215.tif 000002
【特許請求の範囲】
【請求項１】
少なくともレンズ下半分が縁なしの左右レンズ（３）を有する眼鏡（１）であって、
前記左右レンズ（３）と別成形のレンズ延長部（５〜５Ｆ）を前記左右縁なしレンズから直接、外方へ延びるように少なくとも１個設けたことを特徴とする、
多目的のレンズ延長部を有する眼鏡。
【請求項２】
前記レンズ延長部（５〜５Ｆ）が、前記左レンズの左側外方で智（２２）の下方、前記右レンズの右側外方で智（２２）の下方において、少なくとも１個ずつ設けたものである請求項１記載の眼鏡。
【請求項３】
前記レンズ延長部（５Ａ）に文字や模様の装飾（５６Ｂ）を設けた請求項１又は２記載の眼鏡。
【請求項４】
前記レンズ延長部（５〜５Ｆ）に換気のための貫通孔（５７Ｃ，５７Ｄ，５７Ｅ，５７Ｆ）を設けた請求項１〜３のいずれかに記載の眼鏡。
【請求項５】
前記換気孔（５７Ｃ，５７Ｅ，５７Ｆ）が、前記レンズ延長部（５Ｃ，５５Ｅ，５Ｆ）の厚み方向と同方向に垂直のものである請求項４記載の眼鏡。
【請求項６】
前記換気孔（５７Ｄ）が、前記レンズ延長部（５Ｄ）の厚み方向と同方向に傾斜しているものである請求項４記載の眼鏡。
【請求項７】
前記レンズ延長部（５Ｅ，５Ｆ）に前記換気孔（５７Ｅ，５７Ｆ）とともに、前記換気孔に対する整流を促進する起立部分（５８Ｅ）及び隆起部分（５９Ｆ）のいずれかを設けた請求項４〜６のいずれかに記載の眼鏡。
【請求項８】
前記レンズ延長部（５〜５Ｆ）の外方への延長距離が１０〜３０ｍｍである請求項１〜７のいずれかに記載の眼鏡。
【発明の詳細な説明】
【技術分野】
【０００１】
本発明は、レンズから外方へ直接延びる延長部を有する眼鏡に関する。この延長部は、装飾、換気、整流など様々な目的に使用される。
【背景技術】
【０００２】
レンズから外方へ直接延びる延長部を有する眼鏡としては、次のような技術が知られている。
（１）特開平１０-３０７２８１：レンズ面の一部領域に粗面加工し、この領域を塗装して装飾部とする。
（２）特開２０００-３１８３９５：眼鏡レンズの裏側に磁石を固定し、表側に磁石を付着させるとともに、表側磁石に装飾体を取り付ける。
（３）実用新案登録第３１０８０７０号：眼鏡レンズの周辺に複数の装飾片を数珠つなぎで固定する。
【先行技術文献】
【特許文献】
【０００３】
【特許文献１】特開平１０-３０７２８１
【特許文献２】特開２０００-３１８３９５
【特許文献３】実用新案登録第３１０８０７０号
【発明の概要】
【発明が解決しようとする課題】
【０００４】
特許文献１は本体レンズと延長部は同一素材からなるので、デザイン変更ができない。特許文献２は、レンズの前後方向への延長であってレンズの側部外方への延長ではない。特許文献３は、装飾片が数珠つなぎされるので、一つ一つの装飾片は非常に小さく、装飾以外には用途が考えられない。
【０００５】
本発明は、視野にはあまり影響しない位置に、本体レンズとは別体の、比較的に大きい延長部を本体レンズに脱着自在に取付け、その延長部を様々な目的に使用することを目的とする。
【課題を解決するための手段】
【０００６】
上記課題を解決する本発明は、少なくともレンズ下半分が縁なしの左右レンズを有する眼鏡であって、前記左右レンズと別成形のレンズ延長部を左右レンズから直接、外方へ延びるように少なくとも１個設けたことを特徴とする、多目的のレンズ延長部を有する眼鏡である。レンズは左右一体のものも含む。
【０００７】
好ましくは、前記レンズ延長部は、前記左レンズの左側外方で智の下方、前記右レンズの右側外方で智の下方において、少なくとも１個ずつ設けたものである。
【０００８】
前記レンズ延長部に文字や模様の装飾を設けることができる。
【０００９】
前記レンズ延長部に換気のための貫通孔を設けることもできる。前記換気孔は、前記レンズ延長部の厚み方向と同方向に垂直のものであってもよいし、傾斜方向のものであってもよい。前記レンズ延長部に換気孔とともに、換気孔に対する整流を促進する突起や隆起を設けることもできる。
【発明の効果】
【００１０】
本発明では、着用者の視野を遮らない位置に比較的に別成形の大きなレンズ延長部を設けることができる。そのため、その延長部を装飾や換気・整流などに用いることができる。レンズ延長部は、レンズとは別成形のものであるので、交換や変更も可能である。
【図面の簡単な説明】
【００１１】
【図１】実施例１に係るレンズ延長部を有する眼鏡の斜視図である。
【図２】実施例１に係るレンズ延長部の取り付け方を示す斜視図である。
【図３】実施例１に係るレンズ延長部の別の取り付け方を示す斜視図である。
【図４】実施例２に係るレンズ延長部を示す斜視図（ａ）と矢示断面図（ｂ）である
【図５】実施例３に係るレンズ延長部を示す斜視図（ａ）と矢示断面図（ｂ）である。
【図６】実施例４に係るレンズ延長部を示す斜視図（ａ）と矢示断面図（ｂ）である。
【図７】実施例５に係るレンズ延長部を示す斜視図（ａ）と矢示断面図（ｂ）である。
【図８】実施例６に係るレンズ延長部を示す斜視図（ａ）と矢示断面図（ｂ）である。
【発明を実施するための形態】
【００１２】
以下、添付の図面に基づき、本発明の実施例を説明する。
【実施例１】
【００１３】
図１〜図４において、本実施例の眼鏡１は、フレーム２とレンズ３から構成されている。フレーム２はブリッジ２１、智２２、テンプル２３及びモダン２４からなる。
【００１４】
これらフレーム２とレンズ３は合成樹脂で形成されている。フレーム２及びレンズ３を合成樹脂で一体形成することもできるが、レンズ３は合成樹脂のものも別成形してはめ込むことが美観上好ましい。レンズ３は左右一体のものでもよい。ここで合成樹脂としては特に限定されないが、例えば、ポリカーボネート系樹脂、ポリオレフィン系樹脂、ポリエステル系樹脂、ポリスチレン系樹脂、アクリル系樹脂、などが使用可能である。
【００１５】
図示の眼鏡レンズ３は縁なしであり、左レンズの左側外方で智２２の下方、右レンズの右側外方で智２２の下方にほぼ直線の取付部４が１か所ずつ設けられている。この取付部４にレンズ延長部５がそれぞれ１個ずつ取り付けられている。レンズ延長部５の外方への延長距離は１０〜３０ｍｍ程度が好ましく、より好ましくは１５〜２０ｍｍ程度である。
【００１６】
図２（ａ）はレンズ延長部５の取付方法を示す斜視図である。レンズ突出部４１には、外方からレンズ３側に向かって複数（図面では２個）の細長いスリット４２が設けられている。スリット４２の中央部において、スリット幅が部分的に広がっている幅広部４３が設けられている。レンズ延長部５は２枚の壁板５１，５２が外方側先端５３で連結されているような構造である。壁板５１，５２の間には、前記スリット４２と相補的な形状の突起５４が形成されている。突起５４の中央部には膨出部分５５が形成されている。
【００１７】
図２（ｂ）に示すように、レンズ突出部４１に対して、外方から蓋をかぶせるようにレンズ延長部５をはめ込むと、レンズ突出部４１のスリット４２にレンズ延長部５の突起５４がはまり、幅広部４２に膨出部５５がはまり込むので、レンズ延長部５がレンズ突出部４１に対してしっかりと連結される。
【００１８】
図３は別の取付方法を示す斜視図である。レンズ突出部４１Ａには複数（図面では２個）の貫通孔４２Ａが設けられている。レンズ延長部５Ａは片側だけの壁５２Ａが外方側先端５３Ａにより支持されているような構造である。レンズ延長部５Ａの壁には前記貫通孔４２Ａと相補的な形状の突起５４Ａが形成されている。突起５４Ａの先端には抜け止め５５Ａが設けられている。
【００１９】
図３（ｂ）に示すように、レンズ突出部４１Ａに対して、外方から蓋をかぶせるようにレンズ延長部５Ａをはめ込むと、レンズ突出部４１Ａの貫通孔４２Ａにレンズ延長部５Ａの突起５４Ａがはまり込むので、レンズ延長部５Ａがレンズ突出部４１Ａに対してしっかりと連結される。
【００２０】
その他、溶着による連結や接着剤による連結も可能である。
【００２１】
このようにしてレンズ３に取り付けられたレンズ延長部５，５Ａは、さまざまな用途に用いられる。
【実施例２】
【００２２】
従来の眼鏡では、レンズへの装飾は視界を妨げる恐れがあるので、特別な用途を除き、積極的に行われることはなかった。
【００２３】
図４の実施例２では、装飾目的でレンズ延長部５Ｂに対して長半球状の突起５６Ｂが３個設けられている。レンズ延長部５Ｂに設けられた装飾は、視界を妨げることは少ないので、かなり広い面積にわたって様々な模様や文字を設けることができる。
【実施例３】
【００２４】
従来の眼鏡、特にレンズの下縁部が装着者の顔面の方へ湾曲したり、レンズの側縁部が後方に湾曲したりしている眼鏡では、レンズと装着者の顔面との間にため込まれる空気の量が比較的少ない。そのため、スキーや自転車競技等の活動的なスポーツの際にこのデザインの眼鏡を装着した場合、湿気を含んだ空気を十分に循環させることができないため、内側表面が曇りやすかった。
【００２５】
図５の実施例３では、実施例１と同じ長半球状の突起部分５６Ｃに、レンズの厚み方向と同方向に垂直な換気孔５７Ｃを設けている。この換気孔５７Ｃの存在により、空気の循環が促進され、内側表面の曇りを軽減させることができる。
【実施例４】
【００２６】
図６の実施例４では、実施例３と同種の換気孔５７Ｄに対して、レンズ内方へ向かう傾斜を設けている。このような傾斜により、空気流の流れを積極的に制御することができる。
【実施例５】
【００２７】
図７の実施例５では、垂直方向の換気孔５７Ｅに隣接させて、レンズ延長板の先端を前方に起立させている。この起立部分５８Ｅが壁となり、換気孔５７Ｅへの空気の整流が促進される。
【実施例６】
【００２８】
図８の実施例６では、垂直方向の換気孔５７Ｆに隣接した部分において、レンズ延長板５Ｆの表側壁を隆起させている。この隆起部分５９Ｆが壁となり、換気孔５７Ｆへの空気の整流が促進される。
【符号の説明】
【００２９】
１     眼鏡
２     フレーム
２１   ブリッジ
２２   智
２３   テンプル
２４   モダン
３     左右レンズ
４      取付部
４１，４１Ａ  レンズ突出部
４２   スリット
４２   幅広部
４２Ａ 貫通孔
４３   幅広部
５-５Ｆ       レンズ延長部
５１，５２    壁板
５２Ａ   壁
５３   外方側先端
５３Ａ 外方側先端
５４   突起
５４Ａ 突起
５５   膨出部分
５６Ｂ 突起（装飾）
５６Ｃ 突起部分
５７Ｃ，５７Ｄ，５７Ｅ，５７Ｆ     貫通孔（換気孔）
５８Ｅ 起立部分
５９Ｆ 隆起部分
【図１】
2017111215.tif 000003
【図２】
2017111215.tif 000004
【図３】
2017111215.tif 000005
【図４】
2017111215.tif 000006
【図５】
2017111215.tif 000007
【図６】
2017111215.tif 000008
【図７】
2017111215.tif 000009
【図８】
2017111215.tif 000010
【手続補正書】
【提出日】平成28年5月9日(2016.5.9)
【手続補正１】
【補正対象書類名】明細書
【補正対象項目名】００１７
【補正方法】変更
【補正の内容】
【００１７】
図２（ｂ）に示すように、レンズ突出部４１に対して、外方から蓋をかぶせるようにレンズ延長部５をはめ込むと、レンズ突出部４１のスリット４２にレンズ延長部５の突起５４がはまり、幅広部４３に膨出部５５がはまり込むので、レンズ延長部５がレンズ突出部４１に対してしっかりと連結される。
【手続補正２】
【補正対象書類名】明細書
【補正対象項目名】００２５
【補正方法】変更
【補正の内容】
【００２５】
図５の実施例３では、実施例２と同じ長半球状の突起部分５６Ｃに、レンズの厚み方向と平行な換気孔５７Ｃを設けている。この換気孔５７Ｃの存在により、空気の循環が促進され、内側表面の曇りを軽減させることができる。
【手続補正３】
【補正対象書類名】特許請求の範囲
【補正対象項目名】全文
【補正方法】変更
【補正の内容】
【特許請求の範囲】
【請求項１】
少なくともレンズ下半分が縁なしの左右レンズ（３）を有する眼鏡（１）であって、
前記左右レンズ（３）と別成形のレンズ延長部（５〜５Ｆ）を前記左右縁なしレンズから直接、外方へ延びるように少なくとも１個設けたことを特徴とする、
多目的のレンズ延長部を有する眼鏡。
【請求項２】
前記レンズ延長部（５〜５Ｆ）が、前記左レンズの左側外方で智（２２）の下方、前記右レンズの右側外方で智（２２）の下方において、少なくとも１個ずつ設けたものである請求項１記載の眼鏡。
【請求項３】
前記レンズ延長部（５Ａ）に文字や模様の装飾（５６Ｂ）を設けた請求項１又は２記載の眼鏡。
【請求項４】
前記レンズ延長部（５〜５Ｆ）に換気のための貫通孔（５７Ｃ，５７Ｄ，５７Ｅ，５７Ｆ）を設けた請求項１〜３のいずれかに記載の眼鏡。
【請求項５】
前記換気孔（５７Ｃ，５７Ｅ，５７Ｆ）が、前記レンズ延長部（５Ｃ，５Ｅ，５Ｆ）の厚み方向と平行のものである請求項４記載の眼鏡。
【請求項６】
前記換気孔（５７Ｄ）が、前記レンズ延長部（５Ｄ）の厚み方向に対して傾斜しているものである請求項４記載の眼鏡。
【請求項７】
前記レンズ延長部（５Ｅ，５Ｆ）に前記換気孔（５７Ｅ，５７Ｆ）とともに、前記換気孔に対する整流を促進する起立部分（５８Ｅ）及び隆起部分（５９Ｆ）のいずれかを設けた請求項４〜６のいずれかに記載の眼鏡。
【請求項８】
前記レンズ延長部（５〜５Ｆ）の外方への延長距離が１０〜３０ｍｍである請求項１〜７のいずれかに記載の眼鏡。
【手続補正４】
【補正対象書類名】図面
【補正対象項目名】図２
【補正方法】変更
【補正の内容】
【図２】
2017111215.tif 000011